【事件の表示】
　特願２０００−２２２５４２「弾球遊技機」拒絶査定不服審判事件〔平成１３年２月２０日出願公開、特開２００１−４６６１２〕について、次のとおり審決する。
【結　論】
　本件審判の請求は、成り立たない。
【理　由】
【１】手続の経緯・本願発明
　本願は平成５年１１月３０日に出願した特願平５−３２９９９９号の一部を平成１２年７月２４日に新たな特許出願としたものであって、その請求項１に係る発明は、平成１９年１月２５日付け手続補正書により補正された明細書及び図面の記載からみて、その特許請求の範囲の請求項１に記載された以下のとおりのものと認める。
　「【請求項１】遊技盤(5)に変動図柄表示装置(11)と、振分装置(12)と、前記変動図柄表示装置(11)の変動後における停止図柄が予め設定された当たり図柄を表示するときに所要時間だけ開閉ゲート(15)が開く入賞装置(14)とを備えた弾球遊技機において、前記振分装置(12)は上側に入球口(29)を有するケース(22)と、複数個の案内通路(31)(32)と、前記ケース(22)内に回転自在に設けられ且つ該ケース(22)内に入った遊技球を前記案内通路(31)(32)の何れかに振り分ける回転体(24)と、前記ケース(22)の裏側に設けられ且つ前記回転体(24)を回転駆動する駆動手段(25)とを備え、前記入球口(29)の上側近傍で前記遊技盤(5)に前記振分装置(12)とは別に装着され且つ前記入球口(29)に入球する遊技球を検出して前記変動図柄表示装置(11)を変動動作させる検出スイッチ(50)と、該検出スイッチ(50)により検出された当該遊技球が振り分けられる前記案内通路(31)(32)の違いにより前記開閉ゲート(15)が開くときの開放時間を異ならせる機能とを備え、前記回転体(24)は前記各案内通路(31)(32)に対応して設けられ且つ該回転体(24)の回転中に前記案内通路(31)(32)に連通して前記入球口(29)からの遊技球を対応する前記各案内通路(31)(32)へと案内する複数個の入球部(43)(44)と、各入球部(43)(44)間に配置され且つ前記入球口(29)に入球した遊技球を前記検出スイッチ(50)内に位置した状態で停留させる複数個の停留支持部(24a)とを外周面に備えたことを特徴とする弾球遊技機。」（以下、「本願発明」という。）
 　　 
 　　 
【２】刊行物とそれに記載された発明
〔１〕当審の２回目の拒絶理由通知に引用し、本願出願前に日本国内において頒布された刊行物である特開平４−１３５５８５号公報（以下、「刊行物１」という。）には、パチンコ機に関して、以下の事項が図面とともに記載されている。
１．「〈作用〉
　遊技部内に形成した特定領域を球が通過し、この球を特定領域通過検出手段が検出すると、この検出信号にもとづいて図柄表示手段が作動し、図柄表示手段による遊技の結果が賞態様を形成すると、流下切換手段が作動して特定領域を通過した球を複数の排出通路から選択した排出通路に流下させる。この排出通路には特別検出手段が臨設されているので、この特別検出手段が球を検出して信号を送出すると、この信号にもとづいて変動入賞装置駆動制御手段が変動入賞装置を第１状態から第２状態に変換可能とする。」（２頁左下欄１〜１２行）
２．「〈実施例〉
　以下、本発明の実施例を図面にもとづいて説明する。
　第１図に示す遊技盤１は、所謂第３種に属するパチンコ機のもので、・・・具体的には遊技部３のほぼ中央上部に図柄表示手段として可変表示装置４を、該可変表示装置４の下方に特定入賞装置５を、可変表示装置４の右下方に変動入賞装置６を、・・・、特定入賞装置５の左右には変動入賞装置６の始動口１０，１０などを配設してある。
　可変表示装置４は、遊技盤１の表面に取付けるベース板１１に７セグメントタイプの可変表示器１２ａ，１２ｂ，１２ｃを３つ並設してなり、各可変表示器１２に遊技者が認識できない速さで数字を高速変換表示する。・・・
　特定入賞装置５は、第２図から第４図に示すように、遊技盤１の表面に取付ける取付基板１３の上部に球が１つ通過可能な枠状の特定入賞口１４を特定領域として突設し、該特定入賞口１４の下方に、球を１個収納可能な球収納部１５を円周面に形成したドラム状の切換部材１６を軸１７によって回転可能に止着し、該切換部材１６の左右には円弧状のガイドウオール１８ａ，１８ｂを設け、両ガイドウオール１８ａ，１８ｂの下端間には特別排出通路１９と一般排出通路２０を並べて形成し、特別排出通路１９に特別入賞検出器２１を特定領域通過検出手段として臨ませ、取付基板１３の裏側には切換部材１６を回転駆動する電気的駆動源としてギヤードモータ２２を取付けるとともに、切換部材１６の軸１７に固定した遮光片２３により作用するフォトセンサタイプの位置検出器２４を設けてある。上記遮光片２３は、切換部材１６の球収納部１５が特定入賞口１４の直ぐ下に位置した状態で位置検出器２４に作用するように位置調整してある。したがって、切換部材１６は、常には球収納部１５が特定入賞口１４の下に位置して遮光片２３が位置検出器２４に作用した状態で停止している。そして、特定入賞口１４に球が通過すると、この球は球収納部１５内に嵌合して待機する。」（２頁左下欄１３行〜３頁右上欄５行）
３．「なお、図面に示す特定入賞装置５においては、特定領域として機能する特定入賞口１４の下方に特定領域通過検出器２６を配置し、この検出器２６により特定領域を通過した球を検出して電気的制御装置２５に信号を送るように構成してある。
　変動入賞装置６は、電気的駆動源の駆動により、遊技者にとって不利な第１状態と遊技者にとって有利な第２状態とに変換可能であればどのような構成でもよいが、第５図及び第６図に示すものは、取付基板２７の開口部２８の両側に開閉翼２９，２９を軸着し、開口部２８には球受け部３０を形成してある。・・・このため、左右の開閉翼２９，２９は、プランジャの自重及び復帰ばねの作用により、通常は開閉翼２９，２９の上端間隔を球が通過し得ない程度に閉じた状態、即ち遊技者にとって不利な第１状態を維持している。・・・ソレノイド３４を励磁して操作部材３５を開閉翼２９，２９の外開き方向の回動習性に抗して引き上げると、操作部材３５及びピン３２が上方向に移動し、各操作レバー３３が回動軸３１を中心にして外開きに回動して開閉翼２９，２９が開き、球を受け入れ易い状態、即ち遊技者にとって有利な第２状態に変換する。・・・なお、この変動入賞装置６は、横長な扉をソレノイドの駆動により開閉することによって球を受け入れない第１状態と球を受け入れ易い第２状態に変換する所謂アタッカー式入賞装置でもよい。」（３頁左下欄６行〜４頁左上欄１１行）
４．「また、遊技部３内を流下する球が特定入賞口１４に入ると、この球は切換部材１６の球収納部１５内に嵌合して待機する。特定入賞口１４を球が通過すると、特定領域通過検出器２６がこの球を検出して電気的制御装置２５に信号を送る。電気的制御装置２５は、この信号を受けると、可変表示装置４の３つの可変表示器１２ａ，１２ｂ，１２ｃを作動して遊技者が認識できない速さで数字を変換表示する。そして、電気的制御装置２５のタイマに予め設定してある所定時間が経過するか、或は遊技者がストップスイッチ・・・を操作すると、可変表示装置４の可変表示が停止し、３桁の数字が停止表示される。そして、この停止表示の結果態様が予め設定してある賞態様に該当するか否かを電気的制御装置２５が判定し、賞態様を形成していな場合には電気的制御装置２５が特定入賞装置５のギヤードモータ２２を作動して、切換部材１６を時計方向に回転する。したがって、球収納部１５内の球は、切換部材１６の回転に伴って回動し、一般排出通路２０に落下し、入賞球として処理される。・・・
　一方、可変表示装置４の停止態様が賞態様を形成すると、例えば「７」「７」「７」や「３」「３」「３」などが表示されると、電気的制御装置２５がモータ２２を作動して切換部材１６を反時計方向に回転する。したがって、球収納部１５内の球は、切換部材１６の回転に伴って回動し、特別排出通路１９に落下し、特別入賞検出器２１により検出される。特別入賞検出器２１が球を検出すると、電気的制御装置２５に特別遊技の権利が発生した旨の信号を送る。
　電気的制御装置２５は、特別入賞検出器２１から特別遊技の権利が発生した旨の信号を受けると、始動口１０の始動検出器４９を有効化する。したがって、この特別遊技の権利が発生して後に遊技部３内を流下してきた球が始動口１０に入賞すると、始動検出器４９がこの球を検出して電気的制御装置２５に信号を送り、電気的制御装置２５はこの信号にもとづいて変動入賞装置６のソレノイド３４を所定期間だけ、例えばタイマに設定した所定時間（１０秒間）が経過するまでの期間、・・・だけ励磁する。したがって、変動入賞装置６は、この所定期間の間だけ球を受け入れ易い第２状態に変換する。」（４頁右下欄１２行〜５頁右上欄１７行）
　これら１．〜４．の記載を含む刊行物１全体の記載並びに当業者の技術常識によれば、刊行物１には以下の発明が記載されているものと認められる。
　「遊技盤１に図柄表示手段としての可変表示装置４と、特定入賞装置５と、前記可変表示装置４の停止表示の結果態様が予め設定された賞態様を形成するときに、特定入賞装置５の切換部材１６を反時計方向に回転させて前記切換部材１６の球収納部１５内に嵌合して待機している遊技球が特別排出通路１９に落下して特別入賞検出器２１により検出されると、特別遊技の権利が発生して始動口１０の始動検出器４９が有効化され、この後に遊技部３内を流下してきた遊技球が始動口１０に入賞すると、所定時間だけ開閉翼２９，２９或いは横長の扉が開く変動入賞装置６とを備えたパチンコ機において、
　前記特定入賞装置５は上側に特定入賞口１４を有する円弧状のガイドウオール１８ａ，１８ｂと、特別排出通路１９及び一般排出通路２０と、前記ガイドウオール１８ａ，１８ｂ内に回転自在に設けられ且つ該ガイドウオール１８ａ，１８ｂ内に入った遊技球を前記特別排出通路１９及び一般排出通路２０の何れかに振り分ける切換部材１６と、前記ガイドウオール１８ａ，１８ｂの裏側に設けられ且つ前記切換部材１６を回転駆動するギヤードモータ２２とを備え、
　前記特定入賞口１４の上側近傍で前記遊技盤１に装着され且つ前記特定入賞口１４に入球する遊技球を検出して前記可変表示装置４を変動動作させる特定領域通過検出器２６と、該特定領域通過検出器２６により検出された当該遊技球が振り分けられる前記特別排出通路１９及び一般排出通路２０の違いにより入賞球として処理され或いは特別遊技の権利が発生する機能とを備え、
　前記切換部材１６は、該切換部材１６の回転により前記特別排出通路１９及び一般排出通路２０に連通して前記特定入賞口１４からの遊技球を前記特別排出通路１９及び一般排出通路２０へと案内し、常には特定入賞口１４の下に位置した状態で停止し特定入賞口１４に入球する遊技球をその中に嵌合して待機させる１つの球収納部１５を外周面に備えたパチンコ機。」（以下、「刊行物１に記載の発明」という。）
　　
〔２〕同じく、特開平２−２３２０８９号公報（以下、「刊行物２」という。）には、パチンコ遊技機に関して、以下の事項が図面とともに記載されている。
１．「［作用］
　始動入賞口への入賞によって開放された流入装置から遊技球が流入すると、その遊技球が特別入賞検出器に検出されその検出に基づいて変動入賞装置が遊技球を入賞させ易い状態に変換する一方、その特別変動入賞装置に入賞した遊技球がその特別入賞検出器に検出された後に回転入賞球保持部材のいずれかの保持部により所定時間保持されその所定時間経過後にその保持部と対応した排出口中に排出されて排出検出器に検出され、その検出に基づいて変動入賞装置が遊技球を入賞させ得ない状態に戻されるようになることから、特別入賞装置の遊技球が入賞したときその遊技球が回転入賞球保持部材のいずれの保持部に保持されるかによって変動入賞装置の開放時間（特別遊技の継続時間）が変化されることとなり、その結果、特別遊技内容が変化に富んだ興趣のあるパチンコ遊技機となる。」（２頁左下欄１〜１８行）
２．「［第１実施例］
　第１図は、この発明が適用されたパチンコ遊技機の遊技盤１の構成例を示すもので、遊技盤１は図示省略のパチンコ遊技機本体に対して着脱可能に取り付けられている。・・・
　この遊技領域２の中央には権利発生装置２０が設置されている。
　この権利発生装置２０は特別遊技時間作成装置３０と該装置３０への遊技球の流入口を開閉する流入装置４０とを備えている。そして、前記特別遊技時間作成装置３０はその中に流入した遊技球を所定時間ずつ保持する第１〜第３の保持部３３ａ〜３３ｃを具えた回転入賞球保持部材３３を備え、前記流入装置４０はその流入口を開閉する１対の可動部材４３，４３を備えている。
　遊技領域２の下方には、左右に始動入賞口７，７を有し、中央に開閉扉５１によって開閉される大入賞口５２を有する変動入賞装置５０が設置されている。また、前記権利発生装置２０の・・・直下位置には第２の排出口１２ａが設置されている。」（２頁右下欄６行〜３頁左上欄１４行）
３．「そして、図外の操作ダイヤルの操作によって駆動される打球発射装置により、遊技領域２内に遊技球が発射され、その遊技球が始動入賞口７中に入賞すると、それがその始動入賞口７中に設置された始動入賞検出器７ａ（ＳＷ５）に検出され、その検出信号に基づいて流入装置４０の可動部材４３，４３が第１図に鎖線で示すように１回開かれて・・・から閉じる。・・・
　これら可動部材４３，４３が開かれているときにその流入装置４０に遊技球が流入すると、その遊技球が特別遊技時間作成装置３０の流入口３１ａ方向へ流下するが、その流下の過程でその中に設置された特別入賞検出器４０ａ（ＳＷ４）に検出される。
　その検出信号に基づき、特別遊技の権利が発生して変動入賞装置５０の開閉扉５１が開放される・・・。
　そして、前記特別遊技時間作成装置３０の流入路３１ａ方向に流下した遊技球が回転している回転入賞球保持部材３３の外周縁に設けられた入賞球保持部としての第１〜第３の保持部３３ａ〜３３ｃのうちのいずれかに流入する。」（３頁右上欄１９行〜同頁右下欄５行）
４．「このように、遊技球が回転入賞球保持部材３３の第１〜第３の保持部３３ａ〜３３ｃのうちのいずれの保持部中に流入するかによって、特別遊技時間（変動入賞装置５０の開閉扉５１の開放時間）が異なり、第３の保持部３３ｃ中に流入したときが最も長く、第２の保持部３３ｂ中に流入したときが２番目に長く、第１の保持部３３ａ中に流入したときが最も短くなるようになっている。」（４頁右下欄４〜１１行）
５．「第２図には前記特別遊技時間作成装置３０の前側全体斜視図を示し、第３図にはその分解斜視図を示す。
　特別遊技時間作成装置３０は、同図に示すように、遊技盤１の取付用開口部（図示省略）の前面側に取り付けられる本体枠３１と、該本体枠３１内に回転自在に収容される回転入賞球保持部材３３と、本体枠３１の裏側に設置されていて前記回転入賞球保持部材３３に回転動力を付与する駆動源としてのモータ３５とを備えている。
　前記本体枠３１はその前側に前記回転入賞球保持部材３３を回転自在に収容する収容部３１１を有し、該収容部３１１の左右には同収容部３１１を画成する円弧状包囲枠３１２，３１２が設けられている。これら包囲枠３１２，３１２の上部には鎧部３１３，３１３が設けられている。そして、本体枠３１の前面側の上端中央部には遊技球の流入口３１ａが設けられる一方、その下端中央部には遊技球の流出口３ｌｂが設けられている。また、前記収容部３１１内の後壁部の右側斜め上部には第１の流出口１２ａが設けられ、左側斜め上部には第３の流出口１２ｃが設けられている。
　また、前記回転入賞球保持部材３３は前記本体枠３１の収容部３１１内に回転自在に収容されていて本体枠３１の上端部の流入口３１ａから流入した遊技球の保持時間の長短を作成してその長短に応じた特別遊技の継続時間を作り出すものである。この回転入賞球保持部材３３の外周縁部には所定の角度間隔を隔てて、遊技球を保持するやや浅めの第１のポケット状保持部３３ａ、深めの第２のポケット状保持部３３ｂおよび屈曲した第３のポケット状保持部３３ｃが設けられている。そして、・・・後壁部は各保持部３３ａ〜３３ｃ中に保持された遊技球を前記第１〜第３の排出口１２ａ〜１２ｃのそれぞれ対応する排出口に排出させられるように切り欠かれている。
　また、前記モータ３５は前記回転入賞球保持部材３３に回転動力を付与するもので、前記本体枠３１の裏側に設置されていて、その駆動軸３５１が本体枠３１中央に設けられた開口部３１４を介して収容部３１１中に到って、回転入賞球保持部材３３の軸孔３３１中に挿入された状態で固着されている。」（５頁左上欄１６行〜同頁左下欄２０行）
６．「第５図には権利発生装置２０の流入装置４０を示す。
　この流入装置４０は、遊技盤１の取付開口部の前面側に密着状態に取り付けられる基枠４１０と、該基枠４１０の前面側に開閉自在に取り付けられた１対の可動部材４３，４３と、該１対の可動部材４３，４３に回動力を付与する駆動源ユニット４２０とを備えている。」（６頁右上欄９行〜１６行）
７．そして、上記５，６の記載及び第１，２，３，５図の記載によれば、遊技盤１の取付用開口部の前面側に本体枠３１を取り付けることにより設けた特別遊技時間作成装置３０と遊技盤１の取付開口部の前面側に基枠４１０を密着状態に取り付けることにより設けた流入装置４０（ひいてはその内部に設置されている特別入賞検出器４０ａ）とが、遊技盤１に別に装着されていることは明らかであり、また、上記５の記載及び第２〜４図の記載によれば、回転入賞球保持部材３３の外周縁部における第１〜第３の保持部３３ａ〜３３ｃを設けていない外周縁部分が遊技球を停留させる複数個の停留支持部となっていることも明らかである。
　　 
　　 
【３】本願発明と刊行物１に記載の発明との対比・検討
〔１〕本願発明と刊行物１に記載の発明との対比
　本願発明と刊行物１に記載の発明とを対比すると、刊行物１に記載の発明の「遊技盤１」，「（図柄表示手段としての）可変表示装置４」，「停止表示の結果態様」，「賞態様を形成する」，「所定時間」，「開閉翼２９，２９或いは横長の扉」，「変動入賞装置６」，「特定領域通過検出器２６」，「パチンコ機」が、本願発明の「遊技盤(5)」，「変動図柄表示装置(11)」，「変動後における停止図柄」，「当たり図柄を表示する」，「所要時間」，「開閉ゲート(15)」，「入賞装置(14)」，「検出スイッチ(50)」，「弾球遊技機」にそれぞれ相当し、
　また、刊行物１に記載の発明の「特定入賞装置５」と、本願発明の「振分装置(12)」とは、その機能において、即ち、前者が「特別排出通路１９及び一般排出通路２０の違いにより入賞球として処理され或いは特別遊技の権利が発生する機能」であり、後者が「案内通路(31)(32)の違いにより開閉ゲート(15)が開くときの開放時間を異ならせる機能」であることにおいて相違するものの、何れも、「遊技球を複数個の案内通路の何れかに振り分ける振分装置」である点で技術的に共通するものであり、これにより、刊行物１に記載の発明の「特定入賞装置５」における「特定入賞口１４」，「（円弧状の）ガイドウオール１８ａ，１８ｂ」，「特別排出通路１９及び一般排出通路２０」，「切換部材１６」，「球収納部１５」，「ギヤードモータ２２」が、本願発明の「振分装置(12)」における「入球口(29)」，「ケース(22)」，「複数個の案内通路(31)(32)」，「回転体(24)」，「入球部（(43)(44)）」，「駆動手段(25)」にそれぞれ相当し、
　さらに、刊行物１に記載の発明の「可変表示装置４の停止表示の結果態様が予め設定された賞態様を形成するときに、・・・特定入賞装置５の切換部材１６を反時計方向に回転させて前記切換部材１６の球収納部１５内に嵌合して待機している遊技球が特別排出通路１９に落下して特別入賞検出器２１により検出されると、特別遊技の権利が発生して始動口１０の始動検出器４９が有効化され、この後に遊技部３内を流下してきた遊技球が始動口１０に入賞すると、・・・所要時間だけ開閉翼２９，２９或いは横長の扉が開く」については、「可変表示装置４の停止表示の結果態様が予め設定された賞態様を形成するとき」と「所定時間だけ開閉翼２９，２９或いは横長の扉が開く」との間に、特別入賞検出器２１による遊技球の検出に基づく特別遊技の権利の発生と、この特別遊技の権利の発生状態における始動口１０への遊技球の入賞との一連の処理動作が介在され、「開閉翼２９，２９或いは横長の扉が開く」ためには、審判請求人が主張するように、「少なくとも２個の遊技球を発射すること」を必要とするものの、「可変表示装置４の停止表示の結果態様が予め設定された賞態様を形成する」ことを、「所定時間だけ開閉翼２９，２９或いは横長の扉が開く」ための契機としているものであるから、これを考慮すると、刊行物１に記載の発明の上記技術事項と、本願発明の「変動図柄表示装置(11)の変動後における停止図柄が予め設定された当たり図柄を表示するときに所要時間だけ開閉ゲート(15)）が開く」とは、何れも、「変動図柄表示装置の変動後における停止図柄が予め設定された当たり図柄を表示することを契機にして、所要時間だけ開閉ゲートが開く」である点で技術的に共通するものということができるから、両者は、
　「遊技盤に変動図柄表示装置と、振分装置と、前記変動図柄表示装置の変動後における停止図柄が予め設定された当たり図柄を表示することを契機にして、所要時間だけ開閉ゲートが開く入賞装置とを備えた弾球遊技機において、
　前記振分装置は、上側に入球口を有するケースと、複数個の案内通路と、前記ケース内に回転自在に設けられ且つ該ケース内に入った遊技球を前記案内通路の何れかに振り分ける回転体と、前記ケースの裏側に設けられ且つ前記回転体を回転駆動する駆動手段とを備え、
　前記入球口の上側近傍で前記遊技盤に装着され且つ前記入球口に入球する遊技球を検出して前記変動図柄表示装置を変動動作させる検出スイッチと、該検出スイッチにより検出された当該遊技球が振り分けられる機能とを備え、
　前記回転体は、該回転体の回転により前記案内通路に連通して前記入球口からの遊技球を前記各案内通路へと案内する入球部を外周面に備えた弾球遊技機。」の点で一致し、以下の点で相違する。
＜相違点１＞
　所要時間だけ開閉ゲートを開く条件に関して、本願発明は、「変動図柄表示装置(11)の変動後における停止図柄が予め設定された当たり図柄を表示するとき」を所要時間だけ開閉ゲートを開くための契機としているのに対して、刊行物１に記載の発明では、変動図柄表示装置（可変表示装置４）の変動後における停止図柄（停止表示の結果態様）が予め設定された当たり図柄を表示する（賞態様を形成する）ことを契機とするものの、その後、開閉ゲート（開閉翼２９，２９或いは横長の扉）が開くまでの間に、特別入賞検出器２１による遊技球の検出に基づく特別遊技の権利の発生と、この特別遊技の権利の発生状態における始動口１０への遊技球の入賞との一連の処理過程が介在されており、これら一連の処理過程をも含めて、所要時間だけ開閉ゲートを開くための契機としている点。
＜相違点２＞
　振分装置の機能に関して、本願発明は、「検出スイッチ(50)により検出された遊技球が振り分けられる案内通路(31)(32)の違いにより開閉ゲート(15)が開くときの開放時間を異ならせる機能」であるのに対して、刊行物１に記載の発明では、検出スイッチ（特定領域通過検出器２６）により検出された遊技球が振り分けられる案内通路（特別排出通路１９及び一般排出通路２０）の違いにより入賞球として処理され或いは特別遊技の権利が発生する機能である点。
＜相違点３＞
　検出スイッチの装着に関して、本願発明は、「検出スイッチ(50)」が「入球口(29)の上側近傍で遊技盤(5)に振分装置(12)とは別に装着され」ているのに対して、刊行物１に記載の発明では、検出スイッチ（特定領域通過検出器２６）が入球口（特定入賞口１４）の上側近傍ではあるものの、遊技盤（遊技盤１）に振分装置（特定入賞装置５）とは別に装着されるものではない点。
＜相違点４＞
　回転体の構成に関して、本願発明は、「回転体(24)は各案内通路(31)(32)に対応して設けられ且つ該回転体(24)の回転中に案内通路(31)(32)に連通して入球口(29)からの遊技球を対応する各案内通路(31)(32)へと案内する複数個の入球部(43)(44)と、各入球部(43)(44)間に配置され且つ入球口(29)に入球した遊技球を検出スイッチ(50)内に位置した状態で停留させる複数個の停留支持部(24a)とを外周面に備え」ているのに対して、刊行物１に記載の発明では、回転体（切換部材１６）は、入球口（特定入賞口１４）からの遊技球を各案内通路（特別排出通路１９及び一般排出通路２０）へと案内し、常には入球口の下に位置した状態で停止し入球口に入球する遊技球をその中に嵌合して待機させる１つの入球部（球収納部１５）を備えたものであって、各案内通路に対応して設けられ且つ該回転体の回転中に案内通路に連通して入球口からの遊技球を対応する各案内通路へと案内する複数個の入球部と、各入球部間に配置され且つ入球口に入球した遊技球を検出スイッチ（特定領域通過検出器２６）内に位置した状態で停留させる複数個の停留支持部とを外周面に備えていない点。
　　
〔２〕相違点についての検討
＜相違点１について＞
　相違点１について検討すると、変動図柄表示装置の変動後における停止図柄が予め設定された当たり図柄を表示するとき、直ちに、開閉ゲートを所要時間だけ開くようにすることは、
　例えば、当審の１回目の拒絶理由通知に引用した特開平５−７６４５号公報（可変表示装置２０に備えた可変表示部２１の停止図柄が当りの場合に補助変動入賞装置５０の可動部５１を遊技球が入賞し易い状態に変換させるようにしたものが記載されている。段落【０００８】〜【００１１】の記載を参照。）及び特開平１−３１０６８３号公報（可変表示装置７６の表示態様が予め定められた表示態様になったときに開閉板７２を一定時間開放するようにしたものが記載されている。７頁右下欄８行〜８頁右上欄８行の記載を参照。），特開平５−２３７２２２号公報（ディジタル表示器３４４ａ，３４４ｂの表示値が一致したときに可変入賞球装置３０８の開閉板３１０を一定期間開成するようにしたものが記載されている。段落【００９４】の記載を参照。）等に記載されているように当該技術分野においては従来から周知の技術であり、このような周知技術の存在を考慮すれば、
　刊行物１に記載の発明において、１個の遊技球の発射で開閉ゲートを開放すること等を目的の一つとして、「変動図柄表示装置（可変表示装置４）の変動後における停止図柄（停止表示の結果態様）が予め設定された当たり図柄を表示する（賞態様を形成する）」と、「開閉ゲート（開閉翼２９，２９或いは横長の扉）が開く」までとの間に介在する「特別入賞検出器２１による遊技球の検出に基づく特別遊技の権利の発生と、この特別遊技の権利の発生状態における始動口１０への遊技球の入賞との一連の処理過程」を省略して、本願発明の上記相違点１に係る構成を想起することは、当業者が格別の技術的困難性を要することなく行えたものと認められる。
＜相違点２について＞
　相違点２について検討するために刊行物２をみると、刊行物２には、上記１〜５の記載によれば、本願発明における変動図柄表示装置に相当する装置を備えていないものの、
　「遊技盤１（本願発明の「遊技盤(5)」に相当する。以下同様。但し、「」を省略する。）に特別遊技時間作成装置３０（振分装置(12)）と、変動入賞装置５０（入賞装置(14)）とを備えたパチンコ遊技機（弾球遊技機）において、
　流入装置４０に流入した遊技球が特別遊技時間作成装置３０の流入口３１ａ（入球口(29)）に流下する過程で流入装置４０の内部に設置された特別入賞検出器４０ａ（検出スイッチ(50)）により検出され、その検出信号に基づいて特別遊技の権利が発生したときに、所定時間（所要時間）だけ変動入賞装置５０の開閉扉５１（開閉ゲート(15)）が開くようになっており、
　前記特別遊技時間作成装置３０は、前記特別入賞検出器４０ａにより検出されて流入口３１ａに入球する遊技球を所定時間ずつ保持して第１〜第３の排出口１２ａ〜１２ｃ（案内通路(31)(32)）へと案内する第１〜第３の保持部３３ａ〜３３ｃ（複数個の入球部(43)(44)）を設けた回転入賞球保持部材３３（回転体(24)）を備え、
　特別入賞検出器４０ａにより検出された遊技球が第１〜第３の保持部３３ａ〜３３ｃの何れの保持部中に振り分け流入するかによって、前記変動入賞装置５０の開閉扉５１が開くときの開放時間を異ならせる、具体的には、第３の保持部３３ｃ中に流入したときが最も長く、第２の保持部３３ｂ中に流入したときが２番目に長く、第１の保持部３３ａ中に流入したときが最も短くなるようにしたパチンコ遊技機。」との技術が記載されているものと認められる。
　したがって、刊行物２の「特別遊技時間作成装置３０」は、本願発明の「振分装置(12)」の機能に関する上記相違点２に係る「検出スイッチ(50)により検出された遊技球が振り分けられる案内通路(31)(32)の違いにより開閉ゲート(15)が開くときの開放時間を異ならせる機能」と同様の機能を有しているものということができる。
　そして、刊行物２に記載の技術を刊行物１に記載の発明に適用することについては何らの阻害要因も認められないから、本願発明の上記相違点２に係る構成は、刊行物１に記載の発明に刊行物２に記載の技術を適用することにより、当業者が容易に想到しえたものと認められる。
＜相違点３について＞
　相違点３について検討するために刊行物２をみると、刊行物２には、上記５〜７の記載によれば、上記＜相違点２について＞で摘示したとおりの「パチンコ遊技機（弾球遊技機）」において、
　「遊技盤１（遊技盤(5)）の取付用開口部の前面側に本体枠３１を取り付けることにより設けた特別遊技時間作成装置３０（振分装置(12)）と、それの流入口３１ａ（入球口(29)）の上側近傍において前記遊技盤１の取付開口部の前面側に基枠４１０を密着状態に取り付けることにより設けた流入装置４０の内部に設置されている特別入賞検出器４０ａ（検出スイッチ(50)）とを、遊技盤１に別に装着するようにしたパチンコ遊技機。」との技術が記載されているものと認められる。
　したがって、刊行物２の「特別入賞検出器４０ａ」は、本願発明の「検出スイッチ(50)」の装着に関する上記相違点３に係る「検出スイッチ(50)」が「入球口(29)の上側近傍で遊技盤(5)に振分装置(12)とは別に装着され」ていると同様に装着されているものということができる。
　そして、刊行物２に記載の技術を刊行物１に記載の発明に適用することについては何らの阻害要因も認められないから、本願発明の上記相違点３に係る構成は、刊行物１に記載の発明に刊行物２に記載の技術を適用することにより、当業者が容易に想到しえたものと認められる。
＜相違点４について＞
　相違点４について検討するために刊行物２をみると、刊行物２には、上記３〜７の記載によれば、上記＜相違点２について＞で摘示したとおりの「パチンコ遊技機（弾球遊技機）」において、
　「回転入賞球保持部材３３（回転体(24)）は、第１〜第３の排出口１２ａ〜１２ｃ（各案内通路(31)(32)）に対応して設けられ且つ該回転入賞球保持部材３３（回転体(24)）の回転中に前記第１〜第３の排出口１２ａ〜１２ｃ（案内通路(31)(32)）に連通して流入口３１ａ（入球口(29)）からの遊技球を対応する前記第１〜第３の排出口１２ａ〜１２ｃ（各案内通路(31)(32)）へと案内する第１〜第３の保持部３３ａ〜３３ｃ（複数個の入球部(43)(44)）と、前記第１〜第３の保持部３３ａ〜３３ｃ（各入球部(43)(44)）間に配置され且つ前記流入口３１ａ（入球口(29)）に入球した遊技球を停留させる複数個の外周縁部分（停留支持部(24a)）とを外周縁部（外周面）に備えたパチンコ遊技機。」との技術が記載されているものと認められる。
　したがって、刊行物２の「回転入賞球保持部材３３」は、本願発明の「回転体(24)」の構成に関する上記相違点４に係る「回転体(24)は各案内通路(31)(32)に対応して設けられ且つ該回転体(24)の回転中に案内通路(31)(32)に連通して入球口(29)からの遊技球を対応する各案内通路(31)(32)へと案内する複数個の入球部(43)(44)と、各入球部(43)(44)間に配置され且つ入球口(29)に入球した遊技球を停留させる複数個の停留支持部(24a)とを外周面に備え」ていると同様の構成を備えているものということができる。
　ここで、本願発明における「遊技球を検出スイッチ(50)内に位置した状態で停留させる」ことについては、そのような構成を採用することにより、どのような作用効果があるのか、本願明細書の発明の詳細な説明を参酌しても定かでないが、停留させる遊技球と検出スイッチとの位置関係をどのように設定するかは、当業者が必要に応じて適宜採用する程度の設計的事項と認められる。
　そして、刊行物２に記載の技術を刊行物１に記載の発明に適用することについては何らの阻害要因も認められないから、本願発明の上記相違点４に係る構成は、刊行物１に記載の発明に刊行物２に記載の技術を適用することにより、当業者が容易に想到しえたものと認められる。
　　
〔３〕作用効果・判断
　そして、本願発明によって奏する効果も、刊行物１に記載の発明並びに刊行物２に記載の技術及び当該技術分野における周知技術から普通に予測できる範囲内のものであって、格別なものがあるとは認められないから、本願発明は、刊行物１に記載の発明並びに刊行物２に記載の技術及び当該技術分野における周知技術に基づき当業者が容易に発明をすることができたものと云わざるをえない。
　　　
　　　
【４】むすび
　以上のように、本願発明は、刊行物１に記載の発明並びに刊行物２に記載の技術及び当該技術分野における周知技術に基づき当業者が容易に発明できたものであって、特許法第２９条第２項の規定により特許を受けることができないから、本願は拒絶すべきものである。
　よって、結論のとおり審決する。